(57)【要約】【課題】効率良く、かつ低いコストでプリント注文及びプリント生産を行う。【解決手段】プリント生産システム１００では、画像入力ＳＴ３０から撮影画像が入力されるとＤＢ２０ａにそのデータが記憶され、オーダエントリＳＴ１０において注文票に基づき注文者情報及び注文情報が入力されると、ラボサーバ２０ではこの注文票に記載された注文者情報及び注文情報に従って、各注文者のプリント写真を区別可能な区別シートのデータが作成される。プリントＳＴ６０では、各注文者のプリント写真の間に区別シートが配置されるように、注文者毎に注文された撮影画像及びその注文の区別シートがプリント出力される。プリント出力されたプリント写真群は区別シートにより注文者毎に仕分けされて透明材料から形成される納品袋に収容され、注文者に配布される。【選択図】図１
2005221809.tif 000002
【特許請求の範囲】
【請求項１】
複数の注文者からの注文に応じて撮影画像のプリント出力を行うプリント手段を備えたプリント生産システムにおいて、
撮影画像を記憶する画像記憶手段と、
前記記憶された撮影画像のプリント注文を行う注文者に関する注文者情報及びその注文内容に関する注文情報を入力する入力手段と、
前記入力された注文者情報及び注文情報に基づいて注文者毎にプリント注文された撮影画像を前記画像記憶手段から読み出し、当該読み出された撮影画像に基づいて一の注文者のプリント写真と他の注文者のプリント写真とを相互に区別するための区別票を各注文者単位で介在させてプリント出力するように前記プリント手段を制御するプリント制御手段と、
を備えることを特徴とするプリント生産システム。
【請求項２】
前記区別票には、各注文者のプリント写真を区別するための情報が表示されることを特徴とする請求項１に記載のプリント生産システム。
【請求項３】
前記区別票には、注文内容の明細情報が表示されることを特徴とする請求項１又は２に記載のプリント生産システム。
【請求項４】
前記プリント制御手段は、前記区別票を、撮影画像をプリントする記録材と同一の記録材にプリント出力させることを特徴とする請求項１〜３の何れか一項に記載のプリント生産システム。
【請求項５】
前記プリント制御手段は、前記区別票の一部又は全部に色を付してプリント出力させることを特徴とする請求項１〜４の何れか一項に記載のプリント生産システム。
【請求項６】
前記プリント制御手段は、前記区別票を撮影画像のプリントサイズと異なるプリントサイズでプリント出力させることを特徴とする請求項１〜５の何れか一項に記載のプリント生産システム。
【請求項７】
前記プリント制御手段は、前記区別票が各注文者のプリント写真の先頭に配置されるようにプリント出力させることを特徴とする請求項１〜６の何れか一項に記載のプリント生産システム。
【請求項８】
前記プリント制御手段は、プリント写真の画像面側に前記区別票が配置されるようにプリント出力させることを特徴とする請求項１〜７の何れか一項に記載のプリント生産システム。
【請求項９】
前記プリント出力された区別票及びプリント写真は、プリント写真を各注文者に納品するための注文者毎の納品袋に収容されることを特徴とする請求項１〜８の何れか一項に記載のプリント生産システム。
【請求項１０】
前記納品袋は、透明材料からなることを特徴とする請求項９に記載のプリント生産システム。
【請求項１１】
前記納品袋は、収容物を確認するための開口窓部を有することを特徴とする請求項９又は１０に記載のプリント生産システム。
【請求項１２】
前記納品袋は、封緘可能に形成されることを特徴とする請求項９〜１１の何れか一項に記載のプリント生産システム。
【請求項１３】
プリント注文は、ＯＣＲ（Optical character Reader）方式又はＯＭＲ（Optical Mark Reader）方式の記載フォームが適用された注文票に注文者情報及び注文情報を記載することにより行われ、
前記入力手段は、注文票の記載フォームとして適用されたＯＣＲ方式又はＯＭＲ方式の何れかの読取方式で当該注文票に記載された注文者情報及び注文情報を読取入力することを特徴とする請求項１〜１２の何れか一項に記載のプリント生産システム。
【発明の詳細な説明】
【技術分野】
【０００１】
本発明は、学校、企業等の団体において撮影された記念写真等のプリント注文を受け付け、その団体からの注文に応じてプリント生産を行うプリント生産システムに関する。
【背景技術】
【０００２】
学校等では年間を通して行われる各種行事（例えば、入学式や遠足、運動会、卒業式等）において撮影されたスクールフォトと呼ばれるプリント写真の販売が行われることが多い。注文販売からプリント写真の配布までの作業は、学校、撮影業者、プリントラボ間のやり取りにより行われる。
【０００３】
以下、図８を参照して、従来におけるプリント注文からプリント写真の配布までの流れを説明する。
図８に示すように、まず学校側から撮影業者に年間行事の行事計画が連絡され、撮影が依頼されると（ステップＡ１）、撮影業者では取得された行事計画に基づいて撮影が行われる（ステップＡ２）。撮影された撮影画像はプリントラボに渡され（ステップＡ３）、プリントラボでは撮影業者が画像選定を行う際に使用するインデックスシート用に、取得された撮影画像がデータ編集されてプリントされる（ステップＡ４）。プリントされたインデックスシートは撮影業者に渡され、このインデックスシートを用いて撮影業者により画像選定が行われた後（ステップＡ５）、選択された撮影画像のコマ番号の情報がプリントラボに通知される。
【０００４】
プリントラボでは、選定された撮影画像が見本パネル用にデータ編集されてプリントされる（ステップＡ６）。撮影業者では、見本パネル用にプリントされた見本画像シートを用いて見本パネルが作成され、この見本パネルが生徒毎に準備された注文袋とともに学校に納品される（ステップＡ７）。この注文袋には、注文者の氏名等の注文者情報及び注文したい画像コマ番号等の注文情報を記入する入力領域が設けられており、注文票としての機能とプリント代金及びプリント写真を収容する収容袋としての機能とを兼ね備えている。学校では、見本パネルが掲示され、注文袋が各生徒に配布される。生徒は、見本パネルにより所望の画像を選択し、注文袋に選択した画像のコマ番号、プリントサイズ及びプリント枚数等の注文情報を記入すてプリント注文を行う（ステップＡ８）とともに、そのプリント代金を注文袋に同封して（ステップＡ９）、学校に提出する。学校では、各生徒からの注文袋が回収され撮影業者に提出される。撮影業者では、注文袋により代金が回収される（ステップＡ１０）とともにこの注文袋がプリントラボに渡され、オーダエントリ（発注）が行われる（ステップＡ１１）。
【０００５】
プリントラボでは、各生徒の注文袋に記載された注文情報に従って注文用のプリント生産が行われる（ステップＡ１２）。プリント生産されたプリント写真は、オペレータにより注文毎に仕分けされ検品された後、その注文に対応する注文袋に梱包（収容）され（ステップＡ１３）、撮影業者に納品される（ステップＡ１４）。撮影業者では、写真プリントが収容された注文袋が学校に返却され、学校では返却された注文袋が注文袋に記載された注文者（生徒）に配布される（ステップＡ１５）。
【０００６】
従来から、プリントラボではこのような大量のプリント注文を受け付けてプリント生産を自動制御で行うシステムが利用されている（例えば特許文献１、２参照）。しかしながら、これらプリント生産システムでは、各注文者によりどの撮影画像が何枚注文されたかが集計され、撮影画像単位で連続してプリントが行われるため、注文袋にプリント写真を仕分けする際にはオペレータがそのプリント写真と注文内容とを照合しながら注文者別に仕分けなければならず、オペレータにとっては非常に煩雑な作業となっていた。そこで、オペレータによるプリント写真の仕分け作業の負担を軽減させるために、撮影画像をプリントする際に注文単位で撮影画像をプリントするようにデータ編集を行ってからプリント生産するシステムも開発されている（例えば特許文献３参照）。
【特許文献１】特開２００１−５１０４号公報
【特許文献２】特開２０００−３４９９３９号公報
【特許文献３】特開２００３−２６４７５９号公報
【発明の開示】
【発明が解決しようとする課題】
【０００７】
しかしながら、従来のプリント写真の注文方法では、注文からプリント写真の配布まで同じ注文袋を生徒、撮影業者、プリントラボ間で循環させなければならないため、注文袋の管理が煩雑となる。また、注文者別に注文袋が準備されるため、プリント写真を注文者別に仕分けなければならない。上記特許文献３に記載の従来技術では注文単位で撮影画像がプリントされるので、各プリント写真を注文者別に個々に仕分ける負担は低減されるが、複数注文分が連続プリントされたプリント生産物のうち、どこからどこまでが一注文分のプリント写真なのかを区別しながら注文袋に仕分けしなければならず、やはり仕分け作業の負担は残る。
【０００８】
また、注文袋は注文時に生徒毎に準備するため、注文の有無に関わらず生徒の人数分に加えて予備の注文袋を準備しなければならず、コストがかかる。注文袋のデザインや注文情報等の記載フォームが変更された際には注文袋をリニューアルしなければならず、在庫の注文袋が無駄となってしまう。
【０００９】
さらに、従来の注文方法では、注文袋は代金回収袋を兼ねているが、注文袋は後にプリント写真を収容するため糊付け等により封緘することができず、代金等の収容物に対する安全性が低かった。
【００１０】
本発明の課題は、効率良く、かつ低コストでプリント生産を行うことができるプリント生産システムを提供することである。
【課題を解決するための手段】
【００１１】
請求項１に記載の発明は、プリント生産システムにおいて、
複数の注文者からの注文に応じて撮影画像のプリント出力を行うプリント手段を備えたプリント生産システムにおいて、
撮影画像を記憶する画像記憶手段と、
前記記憶された撮影画像のプリント注文を行う注文者に関する注文者情報及びその注文内容に関する注文情報を入力する入力手段と、
前記入力された注文者情報及び注文情報に基づいて注文者毎にプリント注文された撮影画像を前記画像記憶手段から読み出し、当該読み出された撮影画像に基づいて一の注文者のプリント写真と他の注文者のプリント写真とを相互に区別するための区別票を各注文者単位で介在させてプリント出力するように前記プリント手段を制御するプリント制御手段と、
を備えることを特徴とする。
【００１２】
請求項２に記載の発明は、請求項１に記載のプリント生産システムにおいて、
前記区別票には、各注文者のプリント写真を区別するための情報が表示されることを特徴とする。
【００１３】
請求項３に記載の発明は、請求項１又は２に記載のプリント生産システムにおいて、
前記区別票には、注文内容の明細情報が表示されることを特徴とする。
【００１４】
請求項４に記載の発明は、請求項１〜３の何れか一項に記載のプリント生産システムにおいて、
前記プリント制御手段は、前記区別票を、撮影画像をプリントする記録材と同一の記録材にプリント出力させることを特徴とする。
【００１５】
請求項５に記載の発明は、請求項１〜４の何れか一項に記載のプリント生産システムにおいて、
前記プリント制御手段は、前記区別票の一部又は全部に色を付してプリント出力させることを特徴とする。
【００１６】
請求項６に記載の発明は、請求項１〜５の何れか一項に記載のプリント生産システムにおいて、
前記プリント制御手段は、前記区別票を撮影画像のプリントサイズと異なるプリントサイズでプリント出力させることを特徴とする。
【００１７】
請求項７に記載の発明は、請求項１〜６の何れか一項に記載のプリント生産システムにおいて、
前記プリント制御手段は、前記区別票が各注文者のプリント写真の先頭に配置されるようにプリント出力させることを特徴とする。
【００１８】
請求項８に記載の発明は、請求項１〜７の何れか一項に記載のプリント生産システムにおいて、
前記プリント制御手段は、プリント写真の画像面側に前記区別票が配置されるようにプリント出力させることを特徴とする。
【００１９】
請求項９に記載の発明は、請求項１〜８の何れか一項に記載のプリント生産システムにおいて、
前記プリント出力された区別票及びプリント写真は、プリント写真を各注文者に納品するための注文者毎の納品袋に収容されることを特徴とする。
【００２０】
請求項１０に記載の発明は、請求項９に記載のプリント生産システムにおいて、
前記納品袋は、透明材料からなることを特徴とする。
【００２１】
請求項１１に記載の発明は、請求項９又は１０に記載のプリント生産システムにおいて、
前記納品袋は、収容物を確認するための開口窓部を有することを特徴とする。
【００２２】
請求項１２に記載の発明は、請求項９〜１１の何れか一項に記載のプリント生産システムにおいて、
前記納品袋は、封緘可能に形成されることを特徴とする。
【００２３】
請求項１３に記載の発明は、請求項１〜１２の何れか一項に記載のプリント生産システムにおいて、
プリント注文は、ＯＣＲ（Optical character Reader）方式又はＯＭＲ（Optical Mark Reader）方式の記載フォームが適用された注文票に注文者情報及び注文情報を記載することにより行われ、
前記入力手段は、注文票の記載フォームとして適用されたＯＣＲ方式又はＯＭＲ方式の何れかの読取方式で当該注文票に記載された注文者情報及び注文情報を読取入力することを特徴とする。
【発明の効果】
【００２４】
請求項１に記載の発明によれば、注文者毎に注文された撮影画像のプリント出力を行い、その各注文者のプリント単位で区別票を介在させるので、複数注文者の注文に応じて大量プリントされた場合でも、区別票によりその大量のプリント写真を注文者毎に区別することができ、仕分けが容易となる。従って、低コストで、かつ効率の良いプリント生産を行うことができる。
【００２５】
請求項２に記載の発明によれば、区別票には各注文者のプリント写真を区別するための情報が表示されるので、例えば注文者の氏名等を区別票に表示することにより、その区別票により区別されたプリント写真がどの注文者のものであるか等、容易に把握することができる。
【００２６】
請求項３に記載の発明によれば、区別票には注文内容の明細情報が表示されるので、区別票により区別されたプリント写真が注文内容に応じたものか否かを区別票に記載された明細情報により、容易に確認することができる。
【００２７】
請求項４に記載の発明によれば、区別票を撮影画像のプリント記録材にプリントするので、区別票を各注文者のプリント単位で介在させながら区別票と撮影画像を同時に連続プリントすることができ、プリント効率が良い。
【００２８】
請求項５に記載の発明によれば、区別票の一部又は全部に色を付してプリント出力するので、大量のプリント生産が行われた場合でも、その大量のプリント写真の中から色が付された区別票を容易に検出することができる。
【００２９】
請求項６に記載の発明によれば、区別票を撮影画像のプリントサイズと異なるサイズでプリント出力するので、大量のプリント生産が行われた場合でも、その大量のプリント写真の中から異なるプリントサイズの区別票を容易に検出することができる。
【００３０】
請求項７に記載の発明によれば、区別票が各注文者のプリント写真の先頭に配置されるようにプリント出力するので、仕分けされた後においても、プリント写真の先頭に配置された区別票により各注文者のプリント写真を容易に区別することができる。
【００３１】
請求項８に記載の発明によれば、プリント写真の画像面側に区別票が配置されるようにプリント出力するので、プリント写真の画像を区別票により隠蔽することができ、注文者のプライバシーを保護することができる。
【００３２】
請求項９に記載の発明によれば、区別票及びプリント写真は、各注文者の納品袋に収容されるので、区別票により注文者を容易に区別することができ、注文者毎の納品袋への収容作業も容易となる。
【００３３】
請求項１０に記載の発明によれば、納品袋は透明材料からなるので、納品袋にプリント写真を収容した後でも区別票を確認することができる。従って、プリント写真を配布する際においても納品袋の外側から区別票に表示された注文内容の明細情報や、注文者に関する情報等を確認することができ、プリント写真の配布作業も容易となる。
【００３４】
請求項１１に記載の発明によれば、納品袋は開口窓部を有するので、納品袋にプリント写真を収容した後でもこの開口窓部から区別票を確認することができる。従って、プリント写真を配布する際においても納品袋の外側から区別票に表示された注文内容の明細情報や、注文者に関する情報等を確認することができ、プリント写真の配布作業も容易となる。
【００３５】
請求項１２に記載の発明によれば、納品袋は封緘可能に形成されるので、収容物に対する安全性が向上する。
【００３６】
請求項１３に記載の発明によれば、ＯＣＲ方式又はＯＭＲ方式により注文票から注文者情報及び注文情報を読取入力するので、注文者情報及び注文情報の入力作業が容易となり、効率が良い。
【発明を実施するための最良の形態】
【００３７】
本実施の形態では、注文者情報及び注文情報の記入用紙である注文票によりプリント注文を受け付け、この注文票に記載された注文者情報及び注文情報に従って、各注文者のプリント写真の間に各注文を区別可能な区別シートが配置されるように、注文者毎に注文された撮影画像及びその注文の区別シートをプリント生産し、区別シートにより注文者毎のプリント写真を区別して納品袋に収容して注文者にプリント写真を配布する例を説明する。
【００３８】
まず、構成を説明する。
図１に、本実施の形態におけるプリント生産システム１００のシステム構成を示す。
図１に示すように、プリント生産システム１００は、オーダエントリステイション（以下、ＳＴ；Stationという）１０、ラボサーバ２０、画像入力ＳＴ３０、画像編集ＳＴ４０、プリントコントローラ５０、プリントＳＴ６０から構成され、各ＳＴ１０、３０、４０、６０、ラボサーバ２０、プリントコントローラ５０はそれぞれ情報の送受信が可能に接続されている。
【００３９】
オーダエントリＳＴ１０は、プリント注文を受け付けるための受付端末１０ａを一又は複数備えて構成される。プリント注文は注文票に注文者に関する情報（例えば注文者の氏名、生徒番号等の識別情報等。以下、注文者情報という。）、注文内容に関する情報（例えば注文された撮影画像のコマ番号、プリントサイズ、プリント枚数、撮影画像とともにプリントする文字等。以下、注文情報という。）を記入することにより行われる。注文票の記載フォームは、手書きフォーム、ＯＣＲ（Optical Character Reader）方式又はＯＭＲ（Optical Mark Reader）方式の記載フォーム等が適用可能である。
【００４０】
受付端末１０ａは、ＯＣＲ又はＯＭＲ機能を有した汎用のパーソナルコンピュータ等が適用可能であり、スキャナにより読み込まれた注文票をデータ解析して、注文票に記載された注文者情報、注文情報を取得する。すなわち、受付端末１０ａにより入力手段を実現することができる。取得された注文者情報及び注文情報はラボサーバ２０に転送され、データベース（以下、ＤＢ；DataBaseと略す。）化される。
【００４１】
ラボサーバ２０は、プリント生産システム１００における各ＳＴ１０、３０、４０の端末装置、プリントコントローラ５０等を統括的に制御するものである。また、ラボサーバ２０ａは、画像記憶手段として大容量メモリから構成されるＤＢ２０ａを備え、このＤＢ２０ａにオーダエントリＳＴ１０により取得された注文者情報及び注文情報、画像入力ＳＴ２０により取得された撮影画像のデータ群をＤＢ化して記憶する。
【００４２】
また、ラボサーバ２０は、注文用のプリント時には、ＤＢ２０ａに格納された注文者情報及び注文情報に基づいて、注文者毎に注文された撮影画像のプリントサイズ、プリント枚数を集計する。そして、集計結果に基づいてプリント写真を注文者毎に区別するための区別票として区別シートのデータを作成する。次いで、注文者毎に注文された撮影画像をＤＢ２０ａから取得し、撮影画像がプリント出力された際に各注文者のプリント写真の先頭にその注文者を区別する区別シートが配置されるように、かつプリント写真の画像面側に区別シートが配置されるように、注文された撮影画像のデータとその区別シートのデータとを合わせて１セットとしたプリント用データを注文者毎に作成する。次いで、プリント用データをプリントするプリンタとして、その撮影画像のプリントに応じたプリント機能を有するプリンタ６０ａ〜６０ｃを指定し、当該プリンタの指定情報とともにプリント用データをプリントコントローラ５０に送信する。すなわち、ラボサーバ２０によりプリント制御手段を実現することができる。
【００４３】
画像入力ＳＴ３０は、撮影画像を入力するための画像入力端末３０ａを一又は複数備える。画像入力端末３０ａは、画像がプリントされたプリント写真、ポストカード等から画像を取り込むフラッドベットスキャナ、ネガフィルムから画像を取り込むフィルムスキャナ等の各種スキャナや、カード型、スティック型等の半導体メモリ、フロッピー（登録商標）ディスク、ＣＤ（Compact Disk）、ＤＶＤ（Digital Versatile Disk）等の磁気的又は光学的記録メディア等の各種記録メディアからデータを読み出すリーダ等を備えて構成され、これらスキャナやリーダによりプリント対象の撮影画像のデータを取得する。
【００４４】
画像入力端末３０ａは、撮影画像のデータを読み取った際に、例えばデータが読み出されたフィルム、記録メディアを１グループ単位としてそのフィルムや記録メディアに記録されているデータ群を識別するためのグループ番号を発行するとともに、そのグループ内の各撮影画像を識別するためのコマ番号を発行する。そして、このグループ番号及びコマ番号を各撮影画像を識別するための識別番号として各撮影画像に付与させて、これら撮影画像のデータ群をラボサーバ２０に転送し、ＤＢ登録を行う。
【００４５】
画像編集ＳＴ４０は、撮影画像のデータ編集を行うための画像編集端末４０ａを一又は複数備える。画像編集端末４０ａは、オペレータ用のモニタ及びオペレータが編集指示するためのキーボード等を備え、このモニタ上にラボサーバ２０から送信されたプリント対象の撮影画像を順に表示する。そして、オペレータにより画像判定が行われ、編集指示が入力されると、当該入力指示に従って、画像の拡大／縮小、画像位置の移動、特定領域のトリミング、タイトル等の文字入力等の画像加工処理を施すとともに、階調変換や色変換、鮮鋭化処理等の各種画像処理を施す。画像加工、画像処理が施された撮影画像はラボサーバ２０に転送され、ＤＢ登録される。
【００４６】
また、画像編集端末４０ａは、撮影業者が画像選定に使用するインデックスシート、見本パネルに掲示するための見本画像シートのプリント用データを作成する。インデックスシートは撮影された全ての撮影画像がサムネイル等の縮小画像で一覧表示されたものであり、見本画像シートは販売対象として選択された撮影画像のみが一覧表示されたものである。インデックスシートのプリント時には、ラボサーバ２０から撮影画像のデータを取得してそのサムネイルを作成し、当該サムネイルにその撮影画像のグループ番号及びコマ番号を付して配置したサムネイル一覧のプリント用データを作成する。また、見本画像シートのプリント時には、撮影業者から指定されたグループ番号及びコマ番号の撮影画像をＤＢ２０ａから取得し、当該取得された撮影画像にそのグループ番号及びコマ番号を付した、或いは注文用に別途発行された注文番号を付して配置した撮影画像一覧のプリント用データを作成する。
【００４７】
プリントコントローラ５０は、プリントＳＴ６０における各プリンタ６０ａ〜６０ｃのプリント動作を制御するものであり、ラボサーバ２０からの指示に従って入力されたプリント用データを各プリンタ６０ａ〜６０ｃに振り分ける。
【００４８】
プリントＳＴ６０は、各種プリンタ６０ａ〜６０ｃを一又は複数備える。各種プリンタ６０ａ〜６０ｃは、例えばインデックスシートのプリントを行うプリンタ、見本画像シートのプリントを行うプリンタ、注文用のプリントを行うプリンタ等、プリントサイズやプリント機能が異なるプリント手段である。
【００４９】
各プリンタ６０ａ〜６０ｃは、感光材料からなるロールペーパー（以下、プリントペーパーという。）を収容する給紙部、画像データに基づいてプリントペーパー上に露光を行う露光部、露光により画像潜像が形成されたプリントペーパーを発色現像、乾燥する現像処理部、現像されたプリントペーパーを所定サイズにカットするカッター部等を備えて構成され、インデックスシート、見本画像シート、或いは撮影画像、区別シートのプリント出力を行う。なお、各プリンタ６０ａ〜６０ｃは、プリント生産物の裏面（画像がプリントされた面を表面とする。）に撮影日時、撮影画像のグループ番号及びコマ番号等の各種情報をプリントするバックプリント機能を有することとする。
【００５０】
次に、本実施の形態における動作を説明する。
まず、図２を参照して本実施形態におけるプリント注文方法を説明する。図２は、プリント注文からプリント写真が納品されるまでの全体的な流れを示す図である。
プリント注文時には、まず学校から年間行事計画の情報が撮影業者に通知され、撮影が依頼される（ステップＳ１）。このとき、学校に所属する各生徒の氏名、生徒番号等が記載された名簿のデータが撮影業者に渡される。撮影業者では、取得された行事計画に基づいて撮影が行われ（ステップＳ２）、撮影により得られた撮影画像のフィルム又はそのデータが記録された記録メディア等がプリントラボに納入される。
【００５１】
プリントラボでは、撮影業者からフィルム又は記録メディア等を受け取ると、そのフィルム又は記録メディア等から撮影画像のデータが取得される（ステップＳ３）。次いで、取得された撮影画像のデータを用いてインデックスシートのプリントが行われ（ステップＳ４）、プリントされたインデックスシートが撮影業者に納品される。撮影業者では、納品されたインデックスシートを用いて画像選定が行われ、焦点が外れている画像や、画質が悪い画像、目つぶりや赤目等の不適切なシーンの画像が排除されて、販売する撮影画像として適切な画像のみが選択される。そして、販売する撮影画像として選択された撮影画像のグループ番号及びコマ番号の情報がプリントラボに通知される（ステップＳ５）。
【００５２】
プリントラボでは、通知されたグループ番号及びコマ番号の撮影画像のデータを用いて見本画像シートのプリントが行われ（ステップＳ６）、当該見本画像シートが撮影業者に納品される。そして、撮影業者により見本画像シートがパネルに貼付された見本パネルが作成され、当該見本パネルとともに、注文者情報及び注文情報の記入領域が設けられた注文票の用紙が生徒名簿等に基づいて人数分又はその予備の分だけ学校に納品される（ステップＳ７）。なお、注文票の記載フォームは、手書きのフォームであってもよいし、ＯＣＲ方式又はＯＭＲ方式の記載フォームであってもよい。
【００５３】
学校では、納品された見本パネルが掲示されるとともに、注文票が各生徒に配布される（ステップＳ８）。生徒は、見本パネルにより所望の撮影画像を選択し、注文票に生徒の氏名、生徒番号等を記入し、注文する撮影画像のグループ番号及びコマ番号（或いは注文番号）、プリントサイズ、プリント枚数を記入して学校に提出する。一方、撮影業者から学校側には代金の回収を行うための代金袋が配布される。この代金袋は封緘可能に形成された封筒であり、生徒は注文票に記入したプリントサイズ及びプリント枚数に応じた代金をこの代金袋に収容し、封緘して学校に提出する（ステップＳ９）。学校側では、提出された注文票及び代金袋が撮影業者に提出される。
【００５４】
撮影業者では、注文票の回収が行われる（ステップＳ１０）とともに、代金の回収が行われる（ステップＳ１１）。次いで、プリントラボに注文票が提出され、プリントラボでは注文票に基づくオーダエントリが行われ、注文者情報及び注文情報が入力される（ステップＳ１２）。次いで、注文に応じたプリントが行われ（ステップＳ１３）、プリントされたプリント写真はオペレータにより仕分けが行われた後、納品袋に梱包され、封緘される（ステップＳ１４）。この納品袋は透明材料からなる封筒状の袋であり、開口窓部分は糊で封緘可能に形成されたものであるが、詳細については後述する。
【００５５】
プリント写真が収容された納品袋は、撮影業者を介して学校に納品され（ステップＳ１５）、学校において注文を行った各生徒に納品袋が配布される（ステップＳ１６）。
【００５６】
次に、図３〜図７を参照して、本発明に係るプリント生産システム１００の動作について説明する。
図３は、上述したオーダエントリの工程（図２のステップＳ１２）から注文プリント、仕分け、梱包の工程（図２のステップＳ１４）までにおいてプリント生産システム１００により実行される注文プリント処理を説明するフローチャートである。
【００５７】
図３に示す注文プリント処理では、まずオーダエントリＳＴ１０において、注文票に基づき注文者情報及び注文情報の入力が行われ、入力された注文者情報及び注文情報が対応付けてラボサーバ２０のＤＢ２０ａに登録される（ステップＣ１）。なお、注文者情報及び注文情報の入力は、ＯＣＲ又はＯＭＲ方式により読取入力することとしてもよいし、手書きで記載されている場合はオペレータにより入力されることとしてもよい。ラボサーバ２０では、ＤＢ登録された各注文者の注文情報情報が読み出され、当該注文情報に基づいて注文された撮影画像のプリントサイズ、プリント枚数が注文者毎に集計される（ステップＣ２）。
【００５８】
次いで、ラボサーバ２０では集計結果に基づいて区別シートのデータが作成される（ステップＣ３）。区別シートは、撮影画像が各注文者による注文毎にプリント出力された際に、そのプリント出力されたプリント写真を注文者別に区別するためのものである。ただし、例えば同一の注文単位で注文された場合でも注文されたプリントサイズが異なり、プリンタを変更してプリントする場合、或いは同じプリンタでプリント出力するがサイズが異なるプリントペーパーに変更してプリントするといったように、同一注文単位で注文された撮影画像を連続してプリント出力できず、同一注文単位のプリント写真を連続したひとまとまりのものとして得られない場合がある。この場合には、連続してプリント出力された単位毎にプリント写真を区別できるように、そのプリント単位毎に区別シートのデータを作成することとする。
【００５９】
図４に、区別シートの一例を示す。
図４に示すように、区別シートＳには、注文明細がプリントされ、例えば注文者情報に基づいて「１年３組１２番」等の注文者の識別情報や注文者の氏名「山田太郎」等の注文者を区別するための注文者情報が表示される。また、注文情報に基づいてプリントサイズ、プリントする撮影画像のグループ番号−コマ番号等を示す注文内容ｓ２、ｓ３が表示される。
【００６０】
このとき、同じ注文単位で注文された場合でも上述したように連続したひとまとまりのプリント写真として得られない場合があるので、区別シートＳ上には連続でプリント行う注文単位毎に注文内容の明細情報が表示され、実際にその区別シートにより区別されるプリント写真は何れの注文内容に対応するものかを示すチェックボックスｂ１，ｂ２が設けられる。例えば各プリントサイズ「Ｌ版」、「２Ｌ版」でそれぞれひとまとまりのプリント写真が得られる場合は、図４に示すように、区別シートＳ上にはプリントサイズ「Ｌ版」で注文された画像コマ番号「１２、１５、・・・」の注文内容ｓ２と、プリントサイズ「２Ｌ版」で注文された画像コマ番号「１、３」の注文内容ｓ３とがそれぞれ表示され、チェックボックスｂ１のチェックにより、この区別シートＳの後に続くプリント写真は注文内容ｓ２に対応するものであることが区別可能となる。逆に区別シートにより「２Ｌ版」のプリントサイズのプリント写真を区別する場合には、チェックボックスｂ２がチェックされたデータが作成される。
【００６１】
また、区別シートＳは多数のプリント生産物の中から検出しやすいように、端部周辺の一部ｓ４が赤色等により縁取りされる。或いは、全面色を付ける等してその区別シートの一部又は全部に色を付すことにより、プリント生産物の中から検出しやすくすることとしてもよい。同様に検出が容易となるように、プリントペーパーのカット時に、区別シートＳのプリントサイズが撮影画像のプリントサイズより大きくなるようにそのプリントペーパーのカット位置を調整することとしてもよい。
【００６２】
区別シートＳのデータが作成されると、ＤＢ２０ａから注文されたグループ番号及びコマ番号に対応する撮影画像が取得され、注文者毎にプリント用データが作成される（ステップＣ４）。プリント用データは、注文者毎に例えば同一プリントサイズで集計された撮影画像等、連続プリントできる撮影画像のデータと、当該撮影画像のプリント写真を他の注文者のプリント写真と区別するために作成された区別シートのデータとにより作成される。また、プリント用データは、プリント出力された際にプリント写真の先頭に区別シートが配置されるように、かつプリント写真の画像面側に区別シートが配置されるように作成される。
【００６３】
プリントサイズ毎に作成されたプリント用データは、当該プリント用データのプリント出力を行うプリンタ６０ａ〜６０ｃを指定するプリンタ指定情報とともにラボサーバ２０からプリントコントローラ５０へ送信される。プリントコントローラ５０では、そのプリンタ指定情報に従ってプリント用データが各プリンタ６０ａ〜６０ｃに振り分けられる。
【００６４】
プリンタ６０ａ〜６０ｃでは、プリント用データに基づいて撮影画像及び区別シートのプリント出力が行われ（ステップＣ５）、本処理を終了する。
図５に、プリンタ６０ａ〜６０ｃにおいて撮影画像がプリントされたカット前のプリントペーパーｐと、そのプリントペーパーｐが所定間隔でカットされ、先にプリントされたものの上に後にプリントされたものが重ねられて出力されたカット後のプリント写真を示す。
図５に示すように、プリンタ６０ａ〜６０ｃでは、各注文者のプリント単位で区別シートＳが介在するようにプリントされる。また、カット後に各注文者のプリント写真群の先頭にその注文者を区別する区別シートＳが配置されるように、カット前のプリントペーパーｐ上には注文者毎の撮影画像群の後にその区別シートＳがプリントされる。
【００６５】
プリント出力後には、図６に示すようにプリント写真の仕分けが行われる。
図６に示すように、プリント出力されたプリント写真は、その注文毎に区別シートＳがプリント出力されているので、この区別シートＳにより各注文者のプリント写真を区別してその区別シートの下に配置されたプリント写真をそれぞれ納品袋Ｔに収容する。収容時には、区別シートに表示された注文内容と、プリント写真のバックプリントで表示された画像コマ番号等とを照合して注文内容に応じたプリント出力が行われたかどうかを確認しながら収容する。同一注文者により注文された撮影画像であっても同一プリント単位でプリントできず、異なるプリント単位でプリント出力されたプリント写真群が有る場合は、区別シートによりその注文者を区別して同じ注文者の納品袋Ｔに収容する。
【００６６】
なお、プリント写真の仕分けはオペレータが行うこととしてもよいし、プリントソーターにより自動で行うこととしてもよい。プリントソーターで自動で仕分けする場合には、区別シートＳに区別シート検出用の検出マークをプリントしておき、プリントソーターにおいてこの検出マークを検出することにより、注文者毎のプリント単位を区別し仕分けする構成とする。
【００６７】
納品袋Ｔは、図７（ａ）に示すように、例えばポリエチレン、ポリプロピレン等の透明材料からなり、内部にプリント写真を収容可能に形成された袋である。また、袋の上部には折り返し部ｔ１が形成されている。この折り返し部ｔ１には糊又は粘着テープ等が施されており、この折り返し部ｔ１を裏面側に折り返すことにより（折り返した状態を点線で示す）、収容物を封緘することができる。
【００６８】
なお、納品袋Ｔは、図７（ｂ）に示すように、紙類等の不透明材料からなる袋に、区別シートＳに表示された注文者情報等が確認可能な開口窓部ｔ２を形成したものであってもよい。この場合でも収容物を封緘できるように糊等が施された折り返し部ｔ１が設けられる。
【００６９】
全ての注文者に対してプリント写真が上記納品袋Ｔに収容されると、そのプリント写真が収容された納品袋Ｔが撮影業者を介して学校に納品される。納品袋Ｔは、透明性であるので、内部のプリント写真の先頭に配置された区別シート上に表示された注文者情報によりそのプリント写真の注文者を識別することができる。そして、納品袋Ｔは区別シートにより識別された各注文者に配布される。
【００７０】
以上のように、本実施形態では、注文者毎に注文された撮影画像のプリント出力を行い、その注文者毎のプリント写真を区別するための区別シートが各注文者のプリント単位で介在するようにプリント制御するので、注文者単位のプリント写真を区別シートにより区別することができ、注文者毎にプリント写真を容易に仕分けることができる。また、区別シートはプリント写真の先頭に配置されるように、かつプリント写真の画像面側に配置されるので、納品袋に区別シート及びプリント写真を収容した場合でもプリント写真の画像面が外部から見えず、注文者のプライバシーを保護することができる。
【００７１】
また、区別シートにはその区別シートにより区別されるプリント写真の注文者情報及び注文情報が表示され、納品袋はその区別シート上に表示された注文者情報及び注文情報が確認できるように形成されるので、プリント写真を納品袋に収容した状態でも、その納品袋に収容されているプリント写真がどの注文者のものであるかを容易に識別することができる。従って、注文者にプリント写真が収容された納品袋を配布する際でも、特に納品袋に注文者情報を表示することなく、容易にその注文者を把握することができる。
【００７２】
また、本実施形態では、注文からプリント代金の支払い、プリント写真の配布まで循環する注文袋を使用せずに、プリント注文時には記入用紙となる注文票を用い、プリント代金を支払う際には代金をやり取りするために注文者と撮影業者との間を通函する代金袋を使用し、プリント写真を配布する際にはプリント出力されたプリント写真を注文者毎に収容するための納品袋を使用するので、プリント写真を仕分けする際に注文者に応じた注文袋とプリント写真とを照合しながら仕分けするといった作業を省略することができる。従って、プリント生産効率を向上させることができる。
【００７３】
また、プリント写真の注文者の人数に応じた分だけ納品袋を使用すればよいので、注文時に注文者のために予備の分も合わせて注文袋を準備する必要が無く、低コストに抑えることができる。さらに、一つの袋を循環させて使用する必要がないため、収容物を封緘することができる。従って、収容物に対する安全性が向上し、顧客の満足度が向上する。
【００７４】
なお、本実施形態における記述内容は、本発明を適用したプリント生産システム１００の好適な一例であり、これに限定されるものではない。
例えば、上述した説明では、学校写真におけるプリント注文を例に説明したが、名簿用の証明写真や、アルバム原稿用写真等、その他のプリント写真の注文時にも本発明を適用可能である。
【００７５】
また、プリント代金、プリント写真を収容するものとして代金袋、納品袋といったように、袋状のものを使用することとしたが、これに限らず、透明性のカードケース等のような容器を適用することとしてもよい。
【００７６】
また、本実施形態では、注文者毎のプリント出力を連続して行い、区別シート、プリント写真の順でプリント出力を行って注文者のプリント単位毎に区別シートをプリント出力することとしたが、これに限らず、区別シートはプリント写真とは異なる記録材、或いは異なるプリント方式のプリンタによりプリントすることとしてもよい。例えばプリント写真の記録材として感光材料からなる印画紙を使用する場合は、区別シートの記録材として上質紙等の紙類や感熱紙等を使用してインクジェット方式やサーマル方式等を採用し、プリント物の中から区別シートを検出しやすいようにすることとしてもよい。この場合、撮影画像とは別のプリンタで区別シートがプリントされるので、プリントソーターでプリント写真を注文者毎に振り分けた後、その先頭に別途プリントされた区別シートをオペレータが配置する。
【００７７】
その他、本実施形態におけるプリント生産システム１００の細部構成及び細部動作に関しても、本発明の趣旨を逸脱することのない範囲で適宜変更可能である。
【図面の簡単な説明】
【００７８】
【図１】本実施の形態におけるプリント生産システム１００のシステム構成を示す図である。
【図２】本実施形態におけるプリント注文方法の全体的な流れを説明する図である。
【図３】プリント生産システム１００により実行される注文プリント処理を説明するフローチャートである。
【図４】区別シートの一例を示す図である。
【図５】撮影画像及び区別シートがプリントされたカット前のプリントペーパーｐと、カット後に重ねて出力されたプリント写真及び区別シートを示す図である。
【図６】注文者毎のプリント写真を区別シートにより区別して仕分ける様子を示す図である。
【図７】納品袋の例を示す図であり、（ａ）は透明材料からなる納品袋の例であり、（ｂ）は収容物を確認可能な開口窓部を有する納品袋の例を示す図である。
【図８】従来におけるプリント注文方法の全体的な流れを説明する図である。
【符号の説明】
【００７９】
１００    プリント生産システム
１０    オーダエントリＳＴ
２０    ラボサーバ
２０ａ    ＤＢ
３０    画像入力ＳＴ
４０    画像編集ＳＴ
５０    プリントコントローラ
６０    プリントＳＴ
６０ａ〜６０ｃ    プリンタ
【図１】
2005221809.tif 000003
【図２】
2005221809.tif 000004
【図３】
2005221809.tif 000005
【図４】
2005221809.tif 000006
【図５】
2005221809.tif 000007
【図６】
2005221809.tif 000008
【図７】
2005221809.tif 000009
【図８】
2005221809.tif 000010